(57)【要約】【課題】従来の手動電気掃除機は、後方ゴミ収納本体は、手で引いて歩くタイプの為、少し重くなると、力のいる重労働になるばかりか、掃除機の布装置のほこり溜まりが、掃除機全体の無駄な電気使用費量を上げる原因にもなっていた。【解決手段】掃除機本体に掃除機吸引との設定全自動認識確認認知レールモーターセンサーを取り付ける事で、手動掃除機を軽々と扱える構造にして、掃除機ゴミ収納装置を、二段階収納装置にして、ゴミの吸引力が弱まった時点で、バイブレイションスイッチで、ゴミを取り除いた状態にして、ゴミの吸引力を、少ない電気エネルギーでゴミを取る事の出来る世界初のバイブレイイション機能が備わった手動掃除機の著作権原本。【選択図】図1
2013078656.tif 000002
【特許請求の範囲】
【請求項１】
本先発明の手動掃除機は、前後左右の掃除機口の作動方向に瞬時に連動電気反応して、掃除機本体のモーターを、全自動作動させて掃除機手動動作を補助する全自動作動モーター機能を備えた手持ち手動掃除機。
【請求項２】
本先発明の手動掃除機は、軽水素入りの圧電素子磁石体を内蔵した高出力ダイナモを積載した発電出来る手持ち手動掃除機。
【請求項３】
本先発明の手動掃除機は、2連振り子型機械式発電機を積載した室内電気を必要としない無害無給油連続ダイナモ発電機を積載した世界初の手持ち手動掃除機。
【請求項４】
本先発明の手動掃除機本体に内蔵して有るカメラは、掃除機ゴミ吸引口と掃除機本体カメラ焦点距離を、全自動計測して、掃除機口距離と掃除機本体距離が一定した距離で保たれる様にカメラ焦点距離全自動確認認識認知出来るカメラ被写体焦点距離確認認識認知装置を積載した手持ち手動掃除機。
【請求項５】
本先発明の手動掃除機本体に内蔵して有るカメラは、掃除機停止時、防犯用の形態電話全自動連絡型のカメラを内蔵した手持ち手動掃除機。
【請求項６】
本先発明の手動掃除機本体に内蔵して有るライトは、停電時などの非常ライトと又は、暗がりの室内掃除に使用する為の非常ライトを積載した手持ち手動掃除機。
【請求項７】
本先発明の手動掃除機は、ゴミフイルターの目詰まりを防ぐ為に、掃除機本体の別スイッチによって、掃除機布フイルターのゴミを、スピーカー振動装置によって、掃除機フイルターの布に付いているゴミをスピーカー振動装置で、取り除く事が出来る手持ち手動掃除機。
【請求項８】
本先発明の手動掃除機は、二重フイルター内蔵の手持ち手動掃除機。
【請求項９】
本先発明の手動掃除機は、二重のゴミ処理装置を取り付けた手持ち手動掃除機。
【請求項１０】
本先発明の手動掃除機は、圧電素子4電子磁気分割装置の電気中から電気抵抗電気のみを取り除く事が、出来る装置を積載した手持ち手動掃除機。
【発明の詳細な説明】
【技術分野】
【０００１】
本発明は、一般家庭用の掃除機のゴミ目詰まりをスピーカー振動装置で、取り除く技術と室内地図を、使った掃除機本体の全自動モーター移動装置を、積載内蔵した無害無給油連続作動出来る手持ち手動掃除機に関する説明と著作権新技術の、盗作使用による無断な商品の無断な技術投入商品の違法販売の防止対策に関する説明。
【背景技術】
【０００２】
従来の掃除機には、充電式及び全自動充電式及びコード式の掃除機しかなかった。
【０００３】
以下、図1から図4により、従来の手持ち掃除機構造との相違点と同位点に付いて説明する。
図1に於いて、(1)は、軽量プラスチックに、抗菌使用の薄い滑り止めゴムを張り付けた走行タイヤ装置で有り、(3)のモーター装置は、磁極切り換えのインバータ装置内蔵のレールモーターを使用する事で、世界で一番電気消費の少ないモーターは、(9)のエアー吸引用モーターとして使用して、更に(16)の掃除機モーターセンサーのモーター回転位置認識確認認知出来るレールモーターを使用しているのも特徴で有る。(例えば、特許文献1参照。)(例えば、特許文献2参照。)(例えば、特許文献3参照。)。
【０００４】
図1の続きとして、(2)は掃除機送風本体吸引口で有り、今まで通りの装置で有り、(4)のカメラ装置は、掃除機ゴミ吸引口と掃除機本体の距離を一定距離に保つ為の(4)の掃除機カメラ装置で有り、掃除機が、停止している間は、防犯用の形態電話全自動連絡装置カメラとして、防犯カメラ装置として活用される。
更に、(5)は、掃除機移動の手持ちハンドルで有り、(6)のゴミ処理箱は、掃除機積載の(14)のスピーカー振動装置によって、落ちた小さなゴミを受け取るプラスチック皿で有り、(7)のバイブレンションゴミ取り除き装置で有り、(8)の停電非常時使用のライト装置で有る。
【０００５】
図2に於いて、(9)はエアー吸引用モーター(磁極切り換え型のインバータ使用レールモーター)で有り、(10)は、世界初の2連振り子型機械式発電機で有り、(11)は掃除機スイッチで有り、(14)のバイブレイションモータースイッチと掃除機スイッチと掃除機ライトスイッチと掃除機カメラスイッチなどの4種類以上の複合スイッチで有り、(12)は、掃除機回転部分のゴミ吸引部分で有り、(13)手押し回転方向全自動連絡アンテナ装置で有る。
(例えば、特許文献1参照。)(例えば、特許文献2参照。)(例えば、特許文献3参照。)。
【０００６】
図3に於いて、(14)のバイブレイションモーターは、超小型金属スピーカー装置のスピーカーの位置部分を音が鳴らないように位置形状を変えた振動のみのスピーカー装置で有り、(15)のスピーカー振動部分は、半欠けの音なしの震動重視の金属スピーカー使用になっている。
【０００７】
図4に於いて、(16)は、掃除機モーターセンサーで有り、(磁極切り換えインバータ制御)のレールモーター回転位置記憶全自動確認及び全自動認識及び全自動認知出来るモーターによって、掃除機本体の(4)のカメラの一定距離位置保持の補助出来る全自動制御モーターで有り、(17)は、掃除機吸引口方向感知タイヤで有り、(16)の掃除機モーターセンサーのモーター手押し回転位置方向装置と一体になっている装置で有り、(18)は、超薄型軽水素入り圧電素子内蔵ダイナモ装置で有り、(19)の掃除機吸引口外部ブラシ装置の部分装置説明で有る。(例えば、特許文献1参照。)(例えば、特許文献2参照。)(例えば、特許文献3参照。)。
【先行技術文献】
【特許文献】
【０００８】
【特許文献１】特願2006ー140535号広報  (磁極切り換えインバータ制御モーター技術と2連振り子型機械式発電機技術)
【０００９】
【特許文献２】特開2003ー328925号広報  (水発電機技術の請求項の中の自動電池技術)
【００１０】
【特許文献３】特開2004ー304992号広報  (圧電素子4電子磁気分割装置技術)
【００１１】
【特許文献４】登録実用新案第3168043号の高出力発電７連結以上モーター(参考技術)
【発明の概要】
【発明が解決しようとする課題】
【００１２】
以上に述べた従来の電気掃除機では、(14)のフイルターのゴミ詰まりによる家庭電気の無駄な電気消費が目立った。
【００１３】
本先発明は、このような従来の構成が有していた問題を解決しようとするもので有り、バイブレイションを取り付ける事で、掃除機の吸引力を維持して、2連振り子型機械式発電機を搭載する事で、世界初の無害無給油全自動ダイナモ連続発電の連続した電気エネルギーで、掃除機を半永久の無給油電気エネルギーで、作動出来る掃除機を実現する事を目的とするもので有る。
【課題を解決するための手段】
【００１４】
そして、本発明は、上記目的を達成する為に、一つ振り子型の機械式発電機のダイナモ装置を軽水素入り圧電素子内蔵のダイナモ構造にする事で、高出力ダイナモとして、発電力アップをして、更に機械式発電機に使用される大型ゼンマイ装置のゼンマイ切れを無くす為にゼンマイ板にワイヤを2本内蔵したゼンマイ板切れ防止を計ったゼンマイ装置に変える対策と、軽水素ニッケルバッテリーの水素の重水素を取り除く量によって、水素ニッケルバッテリーの充電スピードを越えた技術の軽水素ニッケルバッテリー技術を採用した世界初の新しい2連振り子型機械式発電機技術で有る。
【００１５】
また、第2の課題解決手段は、2連振り子機械式発電機の発電した電気を更に、圧電素子4電子磁気分割装置によって、電気中の電気抵抗を取り除く世界で初めての発明技術を採用する事で、バッテリー充電スピードも、世界最速充電スピード技術によって、発電量アップを計った世界初のバッテリー充電技術。
【００１６】
また、第3の課題解決手段は、世界で一番電気消費の少ないモーター発明を使用する事で、電気掃除機のモーター電気消費を、世界最小に出来る、圧電素子磁石体使用の磁極切り換えインバータ制御可能なレールモーターを内蔵する事で、世界で一番モーター電気消費が少ない技術を、圧電素子4電子磁気分割装置の二つ発明で、世界で一番電気消費の少ないモーター技術を得る事が出来た。
【００１７】
また、第4の課題解決手段は、手動掃除機を、軽く動かす工夫として、掃除機の吸引口に上下往復作動によって、後部の掃除機本体を、軽く全自動移動させる装置として、掃除機本体に、磁極切り換えインバータ制御出来るレールモーターを、掃除機本体に内蔵させて、掃除機本体に被写体の形状確認及形状認識及び形状色彩を認知出来るカメラシステムを内蔵して、掃除機吸引口のカメラ被写体距離間隔を、全自動調整出来るカメラ焦点距離間隔の全自動保持装置を、取り付ける事によって、掃除機本体と掃除機の吸引口の距離を全自動調整する事になるが、電波の送受信距離計算による掃除機本体と掃除機の吸引口の距離間隔保持の説明になる。
【００１８】
また、第4の課題解決手段の中のカメラ装置は、カメラの光りの確認装置として、軽水素入りダイオード装置の光りの光度を電気信号に変える装置として世界で最初に使用しているのも特徴で有る。
2009年1月12日PM22時18分14秒本日ここまでで、ペンを置いて眠る練馬のカンキチニヤン。
2009年1月13日PM20時16分34秒から再び書き始める練馬カンキチニヤン墫野。
【００１９】
また、第5の課題解決手段のライトは、停電時の非常用ライトとして、無害無給油全自動ダイナモ発電機の2連振り子型機械式発電機の半永久連続発電機の電気エネルギーが、得る事が出来る為、非常時の停電時などは、非常ライトとして、家の中の明かりを確保出来る掃除機。
【００２０】
また、第6の課題解決手段の二重ゴミ処理装置は、従来の布袋に、ワイヤ入り鋼材を取り付けた振動によって、ほこりなどのチリを、一番下のゴミ収納型の二重箱装置によって、袋のほこりを収納して、大きなゴミは、布袋で、収納する二段階のゴミの種類分けゴミ処理方法の掃除機のゴミ収納方法。  
【発明の効果】
【００２１】
上述したように本先発明の電気掃除機は、後部掃除機本体の移動を、ゴミ吸引装置との距離間隔の全自動認知作動によって、後方の掃除機本体の移動を、2連振り子型機械式発電機内蔵とモーター全自動で出来る手動掃除機を提供する事が出来る。
【００２２】
また、収納するゴミを、大きいゴミと小さなほこりの二種類のゴミ収納方法にする事と布型ゴミ収納装置のゴミの目詰まり対策として、ベル振動型(ベル電話振動またはスピーカー振動)ほこり処理装置によって、ほこりの目詰まりによる掃除機の吸引力低下の電気消費を抑える効果を発揮するもので有る。
【図面の簡単な説明】
【００２３】
【図１】紛失2回書きの全自動補助本体駆動の手動掃除機本体内部図。
【図２】紛失2回書きの手動掃除機全体図。
【図３】紛失2回書きの手動掃除機布装置部分のバイブレイション取り付け状態図。
【図４】紛失2回書きの手動掃除機吸引部分説明図。
【図５】2013年1月15日付けの特許庁出願公開請求書課宛に2件の特許提出の早期公開請求書文章投函の証拠図。
【発明を実施するための形態】
【００２４】
以下、本先発明の実施の形態を図1から図4に基づいて説明する。
【００２５】
図1においては、(1)は、タイヤで有りプラスチックタイヤに薄いゴムを張り付けた軽量滑り止めタイヤで有り、(2)は送風本体吸引口で有り、(9)は吸引用モーターの磁極切り換え型のレールモーターによって、(9)のモーター面プロペラは、粗いフイルターでプルペラ保護に成って入る構造で有り二重フルイターで有る。
【００２６】
図1の(3)の走行補助モーターは、磁極切り換え型のインバータ制御モーターを内蔵使用しているのも特徴で有り、掃除機の水平を保つ為に、三つ目の360度移動可能な第三のタイヤによって、掃除機吸引口の楽な移動を掃除機本体のモーター補助移動によって、楽な掃除を可能にした新技術で有る。
【００２７】
図1の(4)は、カメラで有り、軽水素入りのダイオードパネルの被写体光り形状確認装置を備えたカメラは、被写体の光り形状を軽水素入りダイオード確認認識出来る装置を備えたカメラは、掃除機吸引口の被写体焦点距離を設定距離間に全自動レールモーター確保出来る(4)の最新式のカメラ焦点距離維持モーター装置で有る。
2009年1月13日(火)PM22時11分50秒本日ここまでで、風呂に入って眠る練馬カンキチニャン。2009年1月15日(木)PM20時23分55秒から書き始める練馬の和夫ニャンカンキチで有る。
【００２８】
図1の(8)は、停電時などの、部屋の非常電灯として使用する為のライトで有り、(10)の2連振り子型機械式発電機の半永久連続作動発電出来る(10)の2連振り子型機械式発電機の電気エネルギーで部屋を照らす為のライトで有り、(5)は、手持ちハンドルで有り、掃除機の移動時に使用するハンドルで有り、(6)は、二重底のゴミ収納箱で有り、上蓋カバーを空けてから、ゴミ収納箱を取る事が出来る構造で有り、(7)のバイブレイション(ベル振動装置及びスピーカー振動装置)によって、小さなほこりなどは、布の下のゴミ収納箱装置に収まる構造で有り、(11)の掃除機スイッチは、バイブレイションスイッチ及びライトスイッチ及び、掃除機補助走行装置スイッチ及び掃除機本体スイッチなどの複合スイッチパネルが、取り付く場所で有る。
【００２９】
図2の(12)は、掃除機の回転部で有り、磁極切り換えインバータ制御モーターにダイナモタイヤを取り付けた回転位置を全自動認識及び確認及び認知出来るモーター装置に対して、回転位置だけを、認識把握する為に、使用すると同時に手押し回転体は、ダイナモ発電が行える超薄型のレールモーターに超薄型の軽水素入り圧電素子内蔵のダイナモを取り付けた掃除機で有り、スイッチ切り換えによって、モーター走行制御駆動補助が行える構造でも有り、前後左右のモーター切り換えは、手持ち位置のスイッチ(タッチスイッチ)などで、行う事が出来る構造で有り、(13)の手押し回転方向全自動連絡アンテナ装置によって、後部モーターは、全自動で、掃除機吸引装置との設定距離を全自動で保って全自動作動出来る装置で有る。
【００３０】
図の3の(14)は、掃除機の布ゴミ吸引収納装置の、ほこり呑を振動で下に落とす事が出来るバイブレイション(振動装置のベル振動装置及びスピーカー振動装置及びレールモーターバイブレイション装置)などが使用される構造で有り、(15)のワイヤ入り鋼板に変形スピーカーによって、振動呑が伝わる装置構造で有る。 
【００３１】
図の4の掃除機吸引部分装置説明として、(16)は、磁極切り換えインバータ制御のレールモーターの回転位置認識装置を使用した手動回転位置連絡装置で有り、(17)は、掃除機吸引方向感知タイヤ装置で有り、(18)は、超薄型軽水素入り圧電素子磁石体内蔵ダイナモ装置で有り、(19)は、掃除機吸引口外部ブラシ部分で有る。
【符号の説明】
【００３２】
1   タイヤ             (プラスチック張り付け薄いゴムタイヤ)
2   送風本体吸引口     (レールモーター吸引口)
3   走行補助モーター   (掃除機吸引口のタイヤ回転方向に全自動反応する本体モーター)
4   カメラ             (掃除機口確認と防犯用24時間連絡カメラ)
5   手持ちハンドル
6   ゴミ処理箱         (本体バイブレイションゴミ処理取り付け掃除箱) 
7   バイブレイションゴミ吸引装置  (布)
8   ライト             (非常用ライト)
9   吸引用モーター     (レールモーター)
10  2連振り子型機械式発電機  (無害無給油全自動超小型ダイナモ発電機)    
11  掃除機スイッチ   
12  掃除機回転部分
13  手押し回転方向全自動連絡アンテナ装置 (コード)(地図内蔵型後付け)
14  バイブレイションモーター (スピーカー振動装置)
15  スピーカー振動部分       (鋼金属)
16  掃除機モーターセンサー   (レールモーター回転方向連絡センサー)
17  掃除機吸引口方向感知タイヤ装置(プラスチック張り付けゴム)
18  超薄型ダイナモ           (軽水素入り圧電素子内蔵高出力ダイナモ)
19  掃除機吸引口外部ブラシ   (回りのゴミを集める装置)
【図１】
2013078656.tif 000003
【図２】
2013078656.tif 000004
【図３】
2013078656.tif 000005
【図４】
2013078656.tif 000006
【図５】
2013078656.tif 000007